(57)【要約】【課題】  隔離室の被収監者がみだりにトイレや手洗い器の水の放出を行なわないように管理し、又、被収監者がこれらトイレや手洗い器の配水管を破壊するのを防止するための隔離室のトイレに最適な水供給システムを提供する。【解決手段】  隔離室１の仕切壁１ａの背面に設置した箱体内に看守席からの遠隔操作が可能なフラッシュバルブ４と、前面が前記隔離室１内に開口する金属製の手洗い器５と、前端部が前記隔離室１内に突出する押しボタンスイッチ６とを設置すると共に、隔離室側１側から前記押しボタンスイッチ６を押圧したとき前記看守席にコールランプ９ａが点灯するように形成した。【選択図】        図２
2004300908.tif 000002
【特許請求の範囲】
【請求項１】
隔離室の仕切壁の背面に密着して箱体を設置し、該箱体内に看守席からの遠隔開閉操作が可能でトイレに水を供給するフラッシュバルブを設置すると共に、前端部が前記仕切壁を貫通して前記隔離室内に突出する押しボタンスイッチを前記箱体内に設置し、前記隔離室側から該押しボタンスイッチを押圧したとき、この押圧を表示する表示手段を前記看守席に設けた隔離室のトイレ用水供給システム。
【請求項２】
前記箱体内に、前面が前記仕切壁を貫通して前記隔離室内に開口する手洗い器を設置した請求項１に記載の隔離室のトイレ用水供給システム。
【請求項３】
前記フラッシュバルブによって前記隔離室内に設けられた手洗い器と水洗トイレとに同時に水が供給されるように形成した請求項２に記載の隔離室のトイレ用水供給システム。
【請求項４】
前記手洗い器はステンレス鋼板製で、該手洗い器が前記隔離室内に開口する部分の形状を円形に形成しており、更に該手洗い器内の上方部に開口する水出口部と該手洗い器内の下方部に設けた排水口とは、共に前記隔離室内に配管部を露出しない構造とした請求項２又は請求項３に記載の隔離室のトイレ用水供給システム。
【請求項５】
手洗い器を前記隔離室の床面に埋込み式に設置すると共に、該手洗い器に水を供給するフラッシュバルブを前記隔離室の仕切壁に設けた請求項１に記載の隔離室のトイレ用水供給システム。
【請求項６】
前記隔離室の押しボタンスイッチの押圧を表示する表示手段と、該表示手段の表示を停止させるための表示停止手段と、前記フラッシュバルブの開閉を制御する遠隔操作手段とを具備した表示操作盤を前記看守席に設置した請求項１又は請求項３又は請求項５に記載の隔離室のトイレ用水供給システム。
【請求項７】
前記隔離室内に前記フラッシュバルブの操作手段を設けると共に、前記看守席に設置した前記表示操作盤に、該操作手段の操作を可能にするか又は該操作を不能にして前記遠隔操作手段の操作のみを可能にするかを切換える切換手段を設けた請求項６に記載の隔離室のトイレ用水供給システム。
【請求項８】
前記隔離室内に前記フラッシュバルブの操作手段を設けると共に、前記フラッシュバルブを設置した前記箱体内に、該操作手段の操作を可能にするか又は該操作を不能にして前記遠隔操作手段の操作のみを可能にするかを切換える切換手段を設けた請求項６に記載の隔離室のトイレ用水供給システム。
【請求項９】
前記遠隔操作手段は、トイレ水洗用フラッシュバルブと手洗い器用フラッシュバルブの各々を別々に操作するように設けられている請求項６又は請求項７又は請求項８に記載の隔離室のトイレ用水供給システム。
【請求項１０】
前記フラッシュバルブは電磁作動式のフラッシュバルブからなる請求項１又は請求項３又は請求項５乃至請求項９のいずれかに記載の隔離室のトイレ用水供給システム。
【請求項１１】
前記隔離室のトイレと前記手洗い器とに水を供給できる補助操作手段を前記隔離室の室外に具備した請求項３又は請求項６又は請求項７又は請求項８のいずれかに記載の隔離室のトイレ用水供給システム。
【請求項１２】
隔離室の仕切壁の背面に密着して箱体を設置し、該箱体内に水圧による遠隔操作が可能な水圧作動式のフラッシュバルブを設置すると共に、前面が前記壁面を貫通して前記隔離室内に開口する金属製の手洗い器と、前端部が前記壁面を貫通して前記隔離室内に突出する押しボタンを有するオンオフバルブとを該箱体内に設置し、前記オンオフバルブによって前記フラッシュバルブ制御用の水圧回路を開閉するように形成すると共に、該水圧回路に手動式のカットオフバルブを付設して、該カットオフバルブを前記箱体の側から自在に開閉できるように形成した隔離室のトイレ用水供給システム。
【請求項１３】
前記水圧作動式のフラッシュバルブの開閉を制御する遠隔操作手段を前記隔離室の室外に具備した請求項１２に記載の隔離室のトイレ用水供給システム。
【発明の詳細な説明】
【技術分野】
【０００１】
本発明は拘置所の隔離室や独居房、又は精神病院の隔離室等に設置されているトイレに好適なトイレ水洗用及び手洗い用の水供給システムに関する。
【背景技術】
【０００２】
拘置所には、看守に乱暴したり自傷他害の行為をする者を隔離して収容するための隔離室が設けられている。従来の隔離室や独居房等に設置されているトイレ水洗用及び手洗い用の給水装置は、一般の公衆トイレ等で使用されているものと同じく、押しボタン式又はレバー式等の給水装置が使用されていた。
【０００３】
即ちこれらは、用足し後、使用者が押しボタンを押したり、又はレバーを回動させたりすることにより、直接にトイレ水洗用及び手洗い用の水が放出されるようになっていた。
【０００４】
又、これらに使用されている手洗い器は、壁面から突出して設けられ、該手洗い器の上方に蛇口を前記壁面から突出させると共に該手洗い器の排水口に接続する排水管も前記壁面から突出するように設けられていた。
【０００５】
しかし、便所の壁面に埋め込んで設置されたケースの前面板に手洗い器の開口を設けると共に、水道源から便器や前記手洗い器への水の配管を該ケース内に配設するようにしたものもあった（例えば特許文献１参照。）。
【特許文献１】特開２００２−３４８０６号公報（第１図）
【発明の開示】
【発明が解決しようとする課題】
【０００６】
前記隔離室に収監されている被収監者が、この隔離室に設置されている水洗トイレの給水管等を故意に破損させたり、トイレに物を詰め込んで水を流れなくさせたり、又はトイレに物が詰まった状態で前記押しボタンを押して、トイレの周りを水びたしにしたりすることがあるという問題があった。
【０００７】
本発明はこれらの問題点を解消し、破損させられる危険性が少なく、しかも不必要な水の放出を抑えられるような隔離室などの水洗トイレに適したトイレ水洗用及び手洗い用の水供給システムを提供することを目的とする。
【課題を解決するための手段】
【０００８】
本発明は上記の目的を達成すべく、隔離室の仕切壁の背面に密着して箱体を設置し、該箱体内に看守席からの遠隔開閉操作が可能でトイレに水を供給するフラッシュバルブを設置すると共に、前端部が前記仕切壁を貫通して前記隔離室内に突出する押しボタンスイッチを前記箱体内に設置し、前記隔離室側から該押しボタンスイッチを押圧したとき、この押圧を表示する表示手段を前記看守席に設けた。
【発明の効果】
【０００９】
本発明によれば、隔離室のトイレの無駄な放水を停止させて必要に応じて放水するように管理することができると共に、被収監者による配水管の破壊を防止することができる効果を有する。
【発明を実施するための最良の形態】
【００１０】
本発明の隔離室のトイレ用水供給システムの実施例を以下に説明する。
【実施例１】
【００１１】
本発明の実施例１を図１乃至図５により説明する。
【００１２】
図１において、１は隔離室、１ａは該隔離室１のコンクリート壁等の仕切壁を示す。
【００１３】
尚、１ｂは隔離室１への出入口の扉である。
【００１４】
２は該隔離室１のコーナー部に設置されている水洗式のトイレ（便器）であり、ステンレス鋼板よりなる頑丈な構造を有している。
【００１５】
３は金属製の箱体で、前記トイレ２の近傍の仕切壁１ａの外側に背面を密着させて設置されている。
【００１６】
前記箱体３の内部の正面図及び該箱体３の側面図をそれぞれ図２及び図３に示した。
【００１７】
即ち、図２は前記箱体３の表面の扉を取り外した状態を示し、箱体３内には電磁作動式のフラッシュバルブ４、手洗い器５、押しボタンスイッチ６、コントローラ７等を具備している。
【００１８】
尚、４ａは前記フラッシュバルブ４の電磁石であり、４ｂはフラッシュバルブ４への入り口側管路、又、４ｃはフラッシュバルブ４からの出口側管路である。
【００１９】
該出口側管路４ｃはトイレ供給管４ｄを介して前記トイレ２に接続すると共に、手洗い水分岐管４ｆを介して前記手洗い器５へ接続している。尚、４ｅは該分岐管４ｆに介在した水量調整用の絞り弁である。
【００２０】
ここで、前記手洗い器５はステンレス鋼板よりなり、その前面は仕切壁１ａを貫通して前記隔離室１内に開口している。
【００２１】
前記手洗い器５の前面の開口部は円形に形成され、該手洗い器５の上方部には出水口５ａが開口しており、該手洗い器５の下方部には排水口５ｂが形成されている。
【００２２】
又、前記出水口５ａに接続する前記手洗い水分岐管４ｆ及び前記排水口５ｂに接続する排水管５ｃは、いずれも手洗い器５の外側の前記箱体３内に配置されていて、隔離室１側からはこれら配管類に手を触れることが出来ない構造となっている。
【００２３】
前記押しボタンスイッチ６は、その前端部が仕切壁１ａを貫通して隔離室１内に突出しており、隔離室１側から該押しボタンスイッチ６を押して信号を発するように形成されている。
【００２４】
又、コントローラ７は、前記フラッシュバルブ４の制御を行なう装置部分で、隔離室１から離れて設けられている看守席（図示せず）から遠隔操作されるようになっている。
【００２５】
尚、８は端子台で、前記看守席にある表示操作盤即ちコントロールボックス９等からの信号ケーブルが該端子台に接続している。
【００２６】
前記コントロールボックス９の正面図を図４に、又、前記信号ケーブルの信号系統図の一例を図５に示した。
【００２７】
即ち、コントロールボックス９には表示手段であるコールランプ９ａ、該表示手段９ａの表示を停止する表示停止手段であるロッカースイッチ９ｂ、遠隔操作手段であるリモートスイッチ９ｃ等を具備している。
【００２８】
尚、９ｄは該コントロールボックス９の前面扉の鍵部を示し、又、９ｅは該コントロールボックス９の端子台を示す。又、図５における矢印は信号の伝達方向を示す。
【００２９】
次に実施例１の作動及びその効果について説明する。
【００３０】
隔離室１の被収監者が用足し後、押しボタンスイッチ６を押すと、その信号は看守席のコントロールボックス９に伝えられ、コールランプ９ａが点滅的に発光するように点灯する。
【００３１】
この点滅信号を看守が確認した場合、看守はロッカースイッチ９ｂを押して該コールランプ９ａを消灯させると共にリモートスイッチ９ｃを押して箱体３内にあるフラッシュバルブ４の電磁石４ａを作動させ、該フラッシュバルブ４の開放によりトイレ２及び手洗い器５に所用の水を供給する。
【００３２】
又、前記被収監者が頻繁に押しボタンスイッチ６を押す場合などは、看守は被収監者の状況を確認してから必要な処置を行なうようにしてもよい。
【００３３】
又、前記看守席のリモートスイッチ９ｃと同様に作用してフラッシュバルブ４を作動させることができるリモートスイッチ６ｂを前記隔離室１の室外の手近な場所に設置して、ここから前記隔離室１のトイレ用水の制御を行なうようにしてもよい。
【００３４】
このように本発明のトイレ用水供給システムは、無駄な水の供給を防止することができると共に、手洗い器５等の排水管類をすべて被収監者の手の届かない構造としたので、被収監者によるこれら配管類の破壊を防止できる効果を有する。
【００３５】
尚、前記フラッシュバルブ４を作動させるリモートスイッチ６ｂは、前記箱体３に付設したり、又は前記隔離室に隣接した前室（観察室）に設置したりしてもよい。
【００３６】
又、前記コントロールボックス９では、信号の表示手段であるコールランプ９ａと、該コールランプ９ａの表示を停止させるロッカースイッチ９ｂとを別体としたが、これは両者を一体として、コールランプにオンオフスイッチを組み込んだ構造のものとしてもよい。
【実施例２】
【００３７】
本発明の実施例２を図６乃至図９により説明する。
【００３８】
図６は本実施例２の隔離室１０の平面図を示し、１１は該隔離室１０内の一隅の床面に設置されている水洗式のトイレであり、１２は該隔離室１０内の床の他の個所に設置されている手洗い器である。
【００３９】
これらトイレ１１及び手洗い器１２はステンレス鋼板からなる頑丈な構造を有している。１３はトイレの洗浄水の放水を要求する押しボタンスイッチで、該押しボタンスイッチ１３は、前記トイレ１１の近傍の仕切壁１０ａの外側壁面に一部を埋込んで固定された第１箱体１３ａ内に設置されている。
【００４０】
該第１箱体１３ａの内部の正面図を図７に示した。
【００４１】
該第１箱体１３ａ内には、給水源からの配管に接続するボールバルブ１３ｂ、三方管継手１３ｃ、フラッシュバルブ１４、フラッシュバルブ１４の入口側管路１３ｄ、前記手洗い器１２への分岐管１３ｅ、フラッシュバルブ１４の出口側管路１３ｆ、及び前記押しボタンスイッチ１３等が設置されている。
【００４２】
尚、前記分岐管１３ｅは、ボールバルブ１３ｇ及び電磁開閉弁１４ｂを介して前記手洗い器１２へ連通している。又、前記第１箱体１３ａ内にはフラッシュバルブ１４用の電磁弁１４ａ、端子板１４ｃ等も設置されている。
【００４３】
又、図６において、１６は手洗い水の放水を要求する押しボタンスイッチで、前記手洗い器１２の近傍の仕切壁１０ａに埋込まれた第２箱体１６ａ内に設置されている。
【００４４】
尚、該押しボタンスイッチ１６及び前記押しボタンスイッチ１３は、ボタン押し後のｏｎ、又はｏｆｆの状態が保持される機能を有している。
【００４５】
前記隔離室１０から離れた位置にある看守席の表示操作盤即ちコントロールボックス１８の斜視図を図８に示した。
【００４６】
該コントロールボックス１８には、隔離室１０内の前記押しボタンスイッチ１３を押したときに点灯するコールランプ１８ａと、隔離室１０内の前記押しボタンスイッチ１６を押したときに点灯するコールランプ１８ｂとが該コントロールボックス１８上に横に並んで配置されている。
【００４７】
これらのコールランプ１８ａ、１８ｂは共にオンオフスイッチを付属していて、これらコールランプ１８ａ、１８ｂの本体を押圧して該ランプの点灯表示を停止させると共に、それぞれトイレ洗浄用水又は手洗い水の供給を行なう。
【００４８】
又、コントロールボックス１８上の、前記コールランプ１８ａの下方には切換手段である３接点式の第１トグルスイッチ１８ｃが、又前記コールランプ１８ｂの下方には切換手段である第２トグルスイッチ１８ｄがそれぞれ設置されている。
【００４９】
第１トグルスイッチ１８ｃは、トイレ洗浄水に関する制御を行ない、又、第２トグルスイッチ１８ｄは手洗い水に関する制御を行なう。
【００５０】
図９は本実施例２の信号系統図を示す。
【００５１】
即ち、トイレ洗浄水の制御において、前記押しボタンスイッチ１３から前記コールランプ１８ａまでの第１信号線１９ａと、該コールランプ１８ａに一体の第１操作ボタン１８ｅから前記電磁弁１４ａまでの第２信号線１９ｂとの間をコントロールボックス１８において第３信号線１９ｃにより接続し、前記第１信号線１９ａには第１開閉スイッチ部１８ｆが、前記第２信号線１９ｂには第２開閉スイッチ部１８ｇが、又前記第３信号線１９ｃには第３開閉スイッチ部１８ｈがそれぞれ介在されている。
【００５２】
そして、これら第１、第２、第３開閉スイッチ部１８ｆ、１８ｇ、１８ｈは後述するように前記第１トグルスイッチ１８ｃの切換により制御されている。
【００５３】
又、同様に手洗い水の制御においても、前記押しボタンスイッチ１６から前記コールランプ１８ｂまでの第４信号線１９ｄと、該コールランプ１８ｂに一体の第２操作ボタン１８ｉから前記電磁開閉弁１４ｂまでの第５信号線１９ｅとの間をコントロールボックス１８において第６信号線１９ｆにより接続し、前記第４信号線１９ｄには第４開閉スイッチ部１８ｊが、前記第５信号線１９ｅには第５開閉スイッチ部１８ｋが、前記第６信号線１９ｆには第６開閉スイッチ部１８ｍがそれぞれ介在されており、これら第４、第５、第６開閉スイッチ部１８ｊ、１８ｋ、１８ｍは後述するように前記第２トグルスイッチ１８ｄの切換により制御される。尚、１８ｎはコントロールボックス１８内の端子板を示す。
【００５４】
次に本実施例２の操作及びその作動について説明する。
【００５５】
本実施例２では、遠隔室１０へのトイレ洗浄水及び又は手洗い水の供給に関し、看守席において各々３通りの供給方法の中から１つを選んで切換えることができる。
【００５６】
即ち、看守席のコントロールボックス１８にある第１トグルスイッチ１８ｃ及び第２トグルスイッチ１８ｄは、各々右、中、左の３接点を有している。
【００５７】
まず、第１トグルスイッチ１８ｃを右へ倒しておくと、第３開閉スイッチ部１８ｈはｏｆｆとなると共に第１開閉スイッチ部１８ｆと第２開閉スイッチ部１８ｇはｏｎとなる。
【００５８】
この状態において隔離室１０の被収監者が押しボタンスイッチ１３を押すと、その信号は第１信号線１９ａを通ってコントロールボックス１８にあるコールランプ１８ａを点灯させる。
【００５９】
この点灯を確認した看守は、該コールランプ１８ａを押圧してこれを消灯させると共に該コールランプ１８ａと一体の第１操作ボタン１８ｅが押され、その信号は第２信号線１９ｂを通って、前記第１箱体１３ａ内の電磁弁１４ａを開放させ、トイレ１１に洗浄水の放出を行なわせる。
【００６０】
又、第１トグルスイッチ１８ｃを中央の位置に置くと、第１開閉スイッチ部１８ｆ、第２開閉スイッチ部１８ｇ及び第３開閉スイッチ部１８ｈのいずれもがｏｆｆとなる。
【００６１】
この状態のときに隔離室１０の被収監者が押しボタンスイッチ１３を押しても看守室にある前記コールランプは点灯せず、トイレ洗浄水の供給は断たれたままとなる。
【００６２】
又、第１トグルスイッチ１８ｃを左側へ倒しておくと、第１開閉スイッチ部１８ｆがｏｆｆとなると共に第３開閉スイッチ部１８ｈがｏｎの状態となる。
【００６３】
この状態のときに隔離室１０において押しボタンスイッチ１３を押すと、その信号は直ちに第１信号線１９ａから第２信号線１９ｂに伝達されるので、前記第１箱体１３ａ内の電磁弁１４ａが開放され、トイレ１１に洗浄水の放出が行なわれる。
【００６４】
即ち、この場合は看守の制約を受けることなく、被収監者がトイレ洗浄水を使えるようになる。
【００６５】
他方の第２トグルスイッチ１８ｄの操作、及びその作動も前記第１トグルスイッチ１８ｃと同様である。
【００６６】
即ち、第２トグルスイッチ１８ｄを右へ倒しておくと、第６開閉スイッチ１８部ｍがｏｆｆとなると共に第４開閉スイッチ部１８ｊと第５開閉スイッチ部１８部ｋがｏｎとなる。
【００６７】
このため隔離室１０において押しボタンスイッチ１６を押した場合は、看守席におけるコールランプ１８ｂが点灯し、看守の第２操作ボタン１８ｉの操作によって手洗い水の供給を受けることができる。
【００６８】
又、第２トグルスイッチ１８ｄを中央の位置におくと、第４、第５、第６開閉スイッチ部１８ｊ、１８ｋ、１８ｍはいずれもｏｆｆとなり、この時に前記押しボタンスイッチ１６を押しても手洗い水の供給を受けることはできない。
【００６９】
又、第２トグルスイッチ１８ｄを左側に倒しておくと、第４開閉スイッチ部１８ｊがｏｆｆとなると共に第６開閉スイッチ部１８ｍがｏｎの状態となり、この時に前記押しボタンスイッチ１６を押せば、直接に電磁開閉弁１４ｂを作動させて手洗い水を放出させることができる。
【００７０】
即ち、本実施例２では、前記看守席からの遠隔操作により前記フラッシュバルブ１４等を作動させて隔離室１０へトイレ用水の供給を行なったり、又は前記隔離室１０から直接に前記フラッシュバルブ１４を作動させて隔離室１０へのトイレ用水の供給を行なったりできるような切換手段を有しており、この切換手段たる第１トグルスイッチ１８ｃ及び第２トグルスイッチ１８ｄを前記看守席に設けた点が特徴である。
【００７１】
尚、このようにトイレ洗浄水及び手洗い水の供給方法を切換えるのは、被収監者の矯正を行なう目的に供するためである。
【実施例３】
【００７２】
本発明の実施例３を図１０及び図１１により説明する。
【００７３】
図１０は本実施例３の箱体２０の内部を示す正面図であり、図１１は該箱体２０の側面図である。
【００７４】
前記箱体２０は金属製で、前記第１の実施の形態におけると同様に、隔離室の仕切壁１ａの裏側に背面を密着させて設置されている。
【００７５】
前記箱体２０内には水圧作動式のフラッシュバルブ２１、手洗い器５、前記フラッシュバルブ制御用のオンオフバルブ２２、及び圧力水の回路を開閉するための手動式のカットオフバルブ２３が設置されている。
【００７６】
ここで前記オンオフバルブ２２には前記仕切壁１ａを貫通して隔離室内に突出する押しボタン２２ａが付属している。
【００７７】
又、前記オンオフバルブ２２の出口側に前記カットオフバルブ２３が接続しており、２３ａは該カットオフバルブ２３の操作ハンドルである。
【００７８】
これらオンオフバルブ２２及びカットオフバルブ２３は、前記フラッシュバルブ２１を作動させるための水圧回路２４の一部を形成している。
【００７９】
即ち水圧回路２４は、フラッシュバルブ２１への入口側管路４ｂから水圧のかかった作動水を取入れる第１管路２４ａ、該第１管路２４ａに接続するＴ字型の接手２４ｂ、該接手２４ｂに接続する２本の管路、即ち第２管路２４ｃと第３管路２４ｄとを有しており、該第３管路２４ｄは前記カットオフバルブ２３及び前記オンオフバルブ２２を介して第４管路２４ｅに接続している。
【００８０】
又、前記第４管路２４ｅはＴ字型の接手２４ｆに接続し、更に該接手２４ｆの一方は前記フラッシュバルブ２１の制御用作動水の入口２１ａに接続し、他方は第５管路２４ｇに接続している。
【００８１】
又、該第５管路２４ｇは、隔離室の室外に設置された他の遠隔操作手段であるオンオフバルブ２５を介して前記第２管路２４ｃと接続している。
【００８２】
これらが前記水圧回路２４を形成している。
【００８３】
尚、本実施例３の手洗い器５は、前記実施例１における手洗い器と同様の構造に形成されている。
【００８４】
次に本実施例３の形態の作動について説明する。
【００８５】
隔離室の被収監者が用足し後、押しボタン２２ａを押すと、オンオフバルブ２２が所定時間だけ開いて、トイレ用水供給側の入口側管路４ｂから水圧のかかった作動水を取り込み、Ｔ字型の接手２４ｆを介してフラッシュバルブ２１の作動水の入口２１ａに作動水を供給する。
【００８６】
この作動水によってフラッシュバルブ２１が開き、前記入口側管路４ｂからトイレ（図示せず）及び手洗い器５に所要の水が供給される。
【００８７】
又、前記被収監者が頻繁に押しボタン２２ａを押す場合などは、看守が前記箱体２０内のカットオフバルブ２３の操作ハンドル２３ａを操作して第３管路２４ｄと第４管路２４ｅとの間の接続を絶ち、前記フラッシュバルブ２１が開弁するのを停止させることができる。
【００８８】
尚、フラッシュバルブ２１は、隔離室の室外にあるオンオフバルブ２５を押すことによっても開弁してトイレ用水を流すことができるので、看守がこれを操作するようにしてもよい。
【実施例４】
【００８９】
本発明の実施例４を図６、図１２及び図１３により説明する。
【００９０】
本実施例４は、前記実施例２におけるのと同様に、図６に示す隔離室１０の設備配置を有し、看守席からの遠隔操作によりフラッシュバルブ等を作動させて隔離質１０のトイレ用水の供給を行なったり、又は隔離室１０から直接前記フラッシュバルブ等を作動させて該隔離室１０へのトイレ用水の供給を行なったりするような切換手段を有している。
【００９１】
然して前記実施例２では、この切換手段を前記看守席に設置していたのに対し、本実施例４では、この切換手段を隔離室１０の仕切壁１０ａの外壁面に設けた第１箱体１３ａ内に設置した点が、前記実施例２とは異なっている。
【００９２】
この切換装置を設置した第１箱体２６の内部の正面図を図１２に示し、又、前記切換装置を外した看守席の表示操作盤即ちコントロールボックス２７の正面図を図１３に示した。
【００９３】
尚、第１箱体２６は前記実施例２における第１箱体１３ａに代るものであり、又、コントロールボックス２７は前記実施例２におけるコントロールボックス１８に代るものである。
【００９４】
即ち、図１２において、１３はトイレ洗浄水用の押しボタンスイッチ、１４は同洗浄水用のフラッシュバルブである。
【００９５】
又、１３ｄはフラッシュバルブ１４の入口側管路、１３ｅは手洗い器１２への分岐管、１３ｆはフラッシュバルブ１４の出口側管路であり、前記分岐管１３ｅからボールバルブ１３ｇ及び電磁開閉弁１４ｂを介して前記手洗い器１２へと連通している。
【００９６】
２６ａはトイレ洗浄水用のコントローラで、該コントローラ２６ａには、前記フラッシュバルブ１４の操作を看守席側で行なうか、それとも隔離室１０内に前端部を突出させた前記押しボタンスイッチ１３で行なうようにするかを切換える切換スイッチ（図示せず）を具備している。
【００９７】
又、２６ｂは手洗い用水のコントローラで、該コントローラ２６ｂには、前記電磁開閉弁１４ｂの操作を看守席側で行なうか、それとも隔離室１０内にある押しボタンスイッチ１６で行なうようにするかを切換える切換スイッチ（図示せず）を具備している。
【００９８】
図１３に示すコントロールボックス２７は看守席に設置されており、２７ａは大便器押しボタン、２７ｂは手洗い器押しボタンである。又、２７ｃは施錠用の鍵穴部を示す。
【００９９】
これら押しボタン２７ａ及び２７ｂは、それぞれ隔離室１０からのトイレ洗浄水又は手洗い用水の放出要求があった場合に点灯するコールランプを兼用しており、該コールランプの点灯合図を見てから、看守が該押しボタン２７ａ又は２７ｂを押すことにより、該コールランプが消灯すると共に前記第１箱体２６内のフラッシュバルブ１４又は手洗い器への電磁開閉弁１４ｂを開いて、それぞれトイレ洗浄用水又は手洗い用水を所定時間供給することができる。
【０１００】
前記コントロールボックス２７における前記の操作は、前記第１箱体２６内にある前記コントローラ２６ａ及び２６ｂを看守席側に切換えた場合にのみ有効となる。
【産業上の利用可能性】
【０１０１】
本発明は拘置所の隔離室や独居房、又は精神病院の隔離室等に設置するトイレのトイレ用水供給システムとして利用される。
【図面の簡単な説明】
【０１０２】
【図１】本発明のトイレ用水供給システムを備えた隔離室の平面図である。（実施例１）
【図２】箱体の内部の正面図である。（実施例１）
【図３】前記箱体の側面図である。（実施例１）
【図４】看守席にある表示操作盤の正面図である。（実施例１）
【図５】信号系統図の一例である。（実施例１）
【図６】隔離室の平面図である。（実施例２、実施例４）
【図７】第１箱体の内部の正面図である。（実施例２）
【図８】看守席にある表示操作盤の斜視図である。（実施例２）
【図９】信号系統図の一例である。（実施例２）
【図１０】箱体の内部を示す正面図である。（実施例３）
【図１１】前記図１０に示す箱体の側面図である。（実施例３）
【図１２】第１箱体の内部の正面図である。（実施例４）
【図１３】看守席にある表示操作盤の正面図である。（実施例４）
【符号の説明】
【０１０３】
１、１０                    隔離室
１ａ、１０ａ                仕切壁
３、１３ａ、１６ａ、２６    箱体
４、１４、２１              フラッシュバルブ
５、１２                    手洗い器
６、１３、１６              押しボタンスイッチ
９、１８、２７              表示操作盤（コントロールボックス）
９ａ、１８ａ、１８ｂ        表示手段（コールランプ）
９ｂ                        表示停止手段（ロッカースイッチ）
９ｃ                        遠隔操作手段（リモートスイッチ）
１８ｃ、１８ｄ              切換手段（トグルスイッチ）
２２                        オンオフバルブ
２３                        カットオフバルブ
【図１】
2004300908.tif 000003
【図２】
2004300908.tif 000004
【図３】
2004300908.tif 000005
【図４】
2004300908.tif 000006
【図５】
2004300908.tif 000007
【図６】
2004300908.tif 000008
【図７】
2004300908.tif 000009
【図８】
2004300908.tif 000010
【図９】
2004300908.tif 000011
【図１０】
2004300908.tif 000012
【図１１】
2004300908.tif 000013
【図１２】
2004300908.tif 000014
【図１３】
2004300908.tif 000015